(57)【要約】【課題】  ガス抜き作業に力を要することなくガス抜き作業が簡単で、またガスが不意に勢いよく吹き出したり、エアゾール容器が破裂する等の万一の危険もなく、エアゾール容器の内容物が使用者に振り掛かったり、使用者の衣服を汚してしまうことのないエアゾール容器のガス抜き具を提供する。【解決手段】  エアゾール容器Ａの押ボタンＢまたはトリガーＴまたは押ボタン用操作部材Ｓの押圧手段１を備えたものとしている。前記押圧手段１は、断面略Ｍ字状のものなどとして形成され、略中央にエアゾール容器Ａの押ボタンＢの押圧部１１を設け、両端に垂下体１２を設け、この垂下体１２の下端にエアゾール容器Ａの内側巻締部Ａ1 への引掛け部１３を設けたものとしている。【選択図】    図２
2007176588.tif 000002
【特許請求の範囲】
【請求項１】
エアゾール容器（Ａ）の押ボタン（Ｂ）またはトリガー（Ｔ）または押ボタン用操作部材（Ｓ）の押圧手段（１）を備えたことを特徴とするエアゾール容器のガス抜き具。
【請求項２】
前記押圧手段（１）が、断面略Ｍ字状として形成され、略中央にエアゾール容器（Ａ）の押ボタン（Ｂ）の押圧部（１１）を設け、両端に垂下体（１２）を設け、この垂下体（１２）の下端にエアゾール容器（Ａ）の内側巻締部（Ａ1 ）への引掛け部（１３）を設けたものであることを特徴とする請求項１記載のエアゾール容器のガス抜き具。
【請求項３】
前記押圧手段（１）が、基板（１４）の上面に、エアゾール容器（Ａ）のキャップ（Ｃ）の天板（Ｃ1 ）の下面とトリガー（Ｔ）の上部面との隙間に差し込めるようにした差込み部（１５）を突設し、基板（１４）の下面にエアゾール容器（Ａ）の内側巻締部（Ａ1 ）への引掛け部（１６）を形成した引掛け足（１７）を垂設したものであることを特徴とする請求項１記載のエアゾール容器のガス抜き具。
【請求項４】
前記基板（１４）が、側部に摘み部（１８）を延設したものであることを特徴とする請求項３記載のエアゾール容器のガス抜き具。
【請求項５】
前記押圧手段（１）が、エアゾール容器（Ａ）のキャップ（Ｃ）の天板（Ｃ1 ）の下面とトリガー（Ｔ）の上部面との隙間に差し込めるようにした差込み部（１５）からなるものであることを特徴とする請求項１記載のエアゾール容器のガス抜き具。
【請求項６】
前記押圧手段（１）が、基板（１４）の上面に、エアゾール容器（Ａ）のキャップ（Ｃ）の天板（Ｃ1 ）の下面とトリガー（Ｔ）の上部面との隙間に差し込めるようにした差込み部（１５）を突設し、基板（１４）の下面にエアゾール容器（Ａ）の内側巻締部（Ａ1 ）への引掛けリング（１９）を設けたものであり、この引掛けリング（１９）の内側に弾性変形可能とした押圧帯（２０）を掛け渡したものであることを特徴とする請求項１記載のエアゾール容器のガス抜き具。
【請求項７】
前記差込み部（１５）が、先端にかけて段階的に細くしたものであることを特徴とする請求項３、５または６のいずれかに記載のエアゾール容器のガス抜き具。
【請求項８】
前記押圧手段（１）が、押圧部（２１ａ）を形成し、この押圧部（２１ａ）の両側に支持体（２１ｂ）を形成し、この支持体（２１ｂ）をエアゾール容器（Ａ）のキャップ（Ｃ）の天板（Ｃ1 ）の下方に垂設された一対の支持板（Ｃ2 、Ｃ2 ）の間に着脱自在として取り付けたものであることを特徴とする請求項１記載のエアゾール容器のガス抜き具。
【請求項９】
前記押圧手段（１）が、押圧部（２１ａ）を形成し、この押圧部（２１ａ）の両側に支持体（２１ｂ）を形成し、この押圧部（２１ａ）をエアゾール容器（Ａ）のキャップ（Ｃ）の天板（Ｃ1 ）の下方の略中央部に形成された凹部（Ｃ3 ）に入り込ませると共に、支持体（２１ｂ）をエアゾール容器（Ａ）のキャップ（Ｃ）の天板（Ｃ1 ）の下方に垂設された一対の支持板（Ｃ2 、Ｃ2 ）の間に着脱自在として取り付けたものであることを特徴とする請求項１記載のエアゾール容器のガス抜き具。
【請求項１０】
前記押圧手段（１）が、エアゾール容器（Ａ）のキャップ（Ｃ）の天板（Ｃ1 ）の下面の中央部、端部寄り、およびキャップ（Ｃ）の側壁（Ｃ4 ）の内側面の適宜位置に設けられた支持部（２２）に、適宜長さの押圧体（２３）を着脱自在に取り付けたものであることを特徴とする請求項１記載のエアゾール容器のガス抜き具。
【請求項１１】
前記押圧体（２３）が、先端にかけて徐々に細くしたものであることを特徴とする請求項１０記載のエアゾール容器のガス抜き具。
【請求項１２】
前記支持部（２２）をネジ孔としており、この支持部（２２）に取り付けられる押圧体（２３）をネジ棒としており、前記ネジ孔とした支持部（２２）に押圧体（２３）としたネジ棒をねじ込むようにしたことを特徴とする請求項１０記載のエアゾール容器のガス抜き具。
【請求項１３】
前記押圧手段（１）が、エアゾール容器（Ａ）のキャップ（Ｃ）の天板（Ｃ1 ）の下面の中央部から端部寄りにかけて設けられた多数の支持部（２２）に、適宜長さの押圧体（２３）を着脱自在に取り付けたものであることを特徴とする請求項１記載のエアゾール容器のガス抜き具。
【請求項１４】
前記押圧手段（１）が、エアゾール容器（Ａ）のキャップ（Ｃ）の天板（Ｃ1 ）の中央部から端部にかけて長孔（２４）を形成し、この長孔（２４）に摺動自在に取り付けられた支持部（２２）のネジ穴に、適宜長さのネジ棒とした押圧体（２３）をねじ込むことにより着脱自在として取り付けたものであることを特徴とする請求項１記載のエアゾール容器のガス抜き具。
【請求項１５】
前記長孔（２４）の中央部と端部に嵌込み部（２４ａ）を形成し、長孔（２４）に摺動自在に取り付けられた支持部（２２）をこの嵌込み部（２４ａ）に嵌まり込ませて位置決めできるようにしたことを特徴とする請求項１４記載のエアゾール容器のガス抜き具。
【請求項１６】
前記押圧手段（１）が、キャップ（Ｃ）がエアゾール容器（Ａ）に被せられている状態で、このキャップ（Ｃ）の側壁（Ｃ4 ）の内側面に設けられた支持部（２２）に押圧体（２３）を支持させることにより、この押圧体（２３）とキャップ（Ｃ）の天板（Ｃ1 ）とが平行になり、前記押圧体（２３）がエアゾール容器（Ａ）の押ボタン（Ｂ）を押圧するようにしたものであることを特徴とする請求項１記載のエアゾール容器のガス抜き具。
【請求項１７】
前記押圧手段（１）が、キャップ（Ｃ）がエアゾール容器（Ａ）に被せられている状態で、このキャップ（Ｃ）の側壁（Ｃ4 ）に形成した挿入孔（２５）に押圧体（２３）を挿入することにより、この押圧体（２３）がエアゾール容器（Ａ）の押ボタン（Ｂ）を押圧するようにしたものであることを特徴とする請求項１記載のエアゾール容器のガス抜き具。
【請求項１８】
前記押圧手段（１）が、キャップ（Ｃ）がエアゾール容器（Ａ）に被せられている状態で、このキャップ（Ｃ）の天板（Ｃ1 ）の下面と押ボタン（Ｂ）の押圧面との間に押圧体（２３）を差し込むことにより、この押圧体（２３）がエアゾール容器（Ａ）の押ボタン（Ｂ）を押圧するようにしたものであることを特徴とする請求項１記載のエアゾール容器のガス抜き具。
【請求項１９】
前記押圧手段（１）が、長尺の屈曲可能な帯状体（３０）に形成した粘着層（３０ａ）に押圧体（３１）を取り付けたものであることを特徴とする請求項１記載のエアゾール容器のガス抜き具。
【請求項２０】
前記押圧体（３１）が、着脱自在に取り付けたものであることを特徴とする請求項１９記載のエアゾール容器のガス抜き具。
【請求項２１】
前記押圧手段（１）が、長尺の屈曲可能な帯状体（３０）に形成した粘着層（３０ａ）に押圧体（３１）を取り付けることができるものであることを特徴とする請求項１記載のエアゾール容器のガス抜き具。
【請求項２２】
前記押圧体（３１）が、着脱自在に取り付けることができるものであることを特徴とする請求項２１記載のエアゾール容器のガス抜き具。
【請求項２３】
前記押圧手段（１）が、エアゾール容器（Ａ）の押ボタン（Ｂ）またはトリガー（Ｔ）または押ボタン用操作部材（Ｓ）および／または胴部に粘着する粘着層（３０ａ）を少なくとも両端部に有する屈曲可能な帯状体（３０）であることを特徴とする請求項１記載のエアゾール容器のガス抜き具。
【請求項２４】
前記押圧手段（１）が、エアゾール容器（Ａ）の押ボタン（Ｂ）またはトリガー（Ｔ）または押ボタン用操作部材（Ｓ）および／または胴部に粘着する粘着層（３０ａ）と、押圧体（３１）に粘着する粘着層（３０ａ）を有する屈曲可能な帯状体（３０）であることを特徴とする請求項１記載のエアゾール容器のガス抜き具。
【請求項２５】
前記押圧手段（１）が、長尺の屈曲可能な帯状体（３０）を円筒形状の保持体（３３）に巻き付け、この保持体（３３）に押圧体（３１）を着脱自在に取り付けたものであることを特徴とする請求項１記載のエアゾール容器のガス抜き具。
【請求項２６】
前記帯状体（３０）が、適宜の寸法に切断可能とした切取り部（３４）を設けたものであることを特徴とする請求項２５記載のエアゾール容器のガス抜き具。
【請求項２７】
前記押圧手段（１）が、長尺体（４１ａ）の略中央に押圧部（４２）を設け、この長尺体（４１ａ）の両端に、外側に弾性変形するようにして内側に向けて曲げた垂下体（４１ｂ）を設け、これら垂下体（４１ｂ）の下端にエアゾール容器（Ａ）の内側巻締部（Ａ1 ）または外側巻締部（Ａ2 ）への引掛け部（４３）を設けたものであることを特徴とする請求項１記載のエアゾール容器のガス抜き具。
【請求項２８】
前記引掛け部（４３）が、多段階に設けたものであることを特徴とする請求項２７記載のエアゾール容器のガス抜き具。
【請求項２９】
前記押圧部（４２）が、長尺体（４１ａ）に摺動自在に取り付けたものであることを特徴とする請求項２７または２８記載のエアゾール容器のガス抜き具。
【請求項３０】
少なくとも両端部に粘着層（３０ａ）を有する帯状体（３０）を使用し、エアゾール容器（Ａ）の押ボタン（Ｂ）またはトリガー（Ｔ）または押ボタン用操作部材（Ｓ）の押圧面となる個所に前記帯状体（３０）を当てて操作状態とし、この帯状体（３０）の少なくとも一端をエアゾール容器（Ａ）の押ボタン（Ｂ）またはキャップ（Ｃ）またはトリガー（Ｔ）またはトリガー（Ｔ）の噴射筒（Ｔ1 ）または押ボタン用操作部材（Ｓ）または胴部の少なくともいずれかに粘着して、前記操作状態を維持させるようにしたことを特徴とするエアゾール容器のガス抜き方法。
【請求項３１】
少なくとも両端部に粘着層（３０ａ）を有する帯状体（３０）を使用し、エアゾール容器（Ａ）の押ボタン（Ｂ）またはトリガー（Ｔ）または押ボタン用操作部材（Ｓ）の押圧面となる個所に前記帯状体（３０）を当てて操作状態とし、この帯状体（３０）の一端をエアゾール容器（Ａ）の押ボタン（Ｂ）またはトリガー（Ｔ）または押ボタン用操作部材（Ｓ）または胴部に、他端を操作状態が維持されるようにエアゾール容器（Ａ）の反対側胴部に粘着して、前記操作状態を維持させるようにしたことを特徴とするエアゾール容器のガス抜き方法。
【請求項３２】
エアゾール容器（Ａ）の胴部に粘着する粘着層（３０ａ）を両端部に有し、押圧体（３１）に粘着する粘着層（３０ａ）を略中央に有する帯状体（３０）を使用し、エアゾール容器（Ａ）の押ボタン（Ｂ）またはトリガー（Ｔ）または押ボタン用操作部材（Ｓ）の押圧面に前記押圧体（３１）を当てて操作状態とし、帯状体（３０）の一端をエアゾール容器（Ａ）の胴部に、他端をエアゾール容器（Ａ）の反対側胴部に粘着して、前記操作状態を維持させるようにしたことを特徴とするエアゾール容器のガス抜き方法。
【発明の詳細な説明】
【技術分野】
【０００１】
この発明は、押ボタン式またはトリガー式など各種のエアゾール容器に使用することができるガス抜き具、およびそのガス抜き具を用いたエアゾール容器のガス抜き方法に関するものである。
【背景技術】
【０００２】
従来、この種のエアゾール容器のガス抜き具は、例えば図６８に示したように、合成樹脂製の皿状キャップ５１の底壁内面の略中央部に、エアゾール容器Ａの底壁に向けて突部５２が設けられ、この突部５２には孔開けピン５３の挿通孔５４が皿状キャップ５１の底壁から突部５２上部間に貫設されていると共に、突部５２の上端には割溝５５が設けられて皿状キャップ５１底壁の下面から装着されるエアゾール容器Ａの底壁に達する長さ以上の長さを有する孔開けピン５３が挟着されたものとしている（特許文献１）。
【０００３】
さらに、従来のエアゾール容器のガス抜き具は、例えば図６９、７０に示したように、キャップＣの内底面の略中心部に、保持部材６１により起立可能に支持された穿設用ピン６２を設けたものとしている（特許文献２）。
【０００４】
また、従来のエアゾール容器のガス抜き具は、例えば図７１、７２に示したように、ガス抜き器７１とエアゾール容器Ａの底との空間に釘７２を封入して、カップ型で底に釘立孔７３を設けたものとし、接着剤あるいはプラスチックフィルムのカバーによりエアゾール容器Ａの底部に装着したものとしている（特許文献３）。
【特許文献１】実開平２−３２９６０号公報
【特許文献２】実開平３−１００１８５号公報
【特許文献３】実開平６−５９２７５号公報
【発明の開示】
【発明が解決しようとする課題】
【０００５】
しかしながら、従来のガス抜き具では、孔開けピン５３、穿設用ピン６２および釘７２によって、それぞれエアゾール容器の底部に直に孔をあけるようにしているが、孔あけ操作に相当な力を要し、その孔あけ操作が困難であったり、面倒であるという問題点を有していた。
【０００６】
また、従来のガス抜き具では、前記したようにエアゾール容器の底部に直に孔をあけるようにしているため、ガスが不意に勢いよく吹き出したり、エアゾール容器が破裂する等の万一の危険を負うという問題点を有していた。
【０００７】
さらに、従来のガス抜き具では、前記したようにエアゾール容器の底部に直に孔をあけるようにしているため、容器内部に殺虫剤や化粧料、塗料等の内容物が残留していた場合、これらがガスと共に吹き出して、使用者に振り掛かったり、使用者の衣服を汚してしまうことがあるという問題点を有していた。
【０００８】
そこで、この発明は、上記従来の問題点を解消するものであり、ガス抜き作業に力を要することなくガス抜き作業が簡単で、またガスが不意に勢いよく吹き出したり、エアゾール容器が破裂する等の万一の危険もなく、エアゾール容器の内容物が使用者に振り掛かったり、使用者の衣服を汚してしまうことのないエアゾール容器のガス抜き具を提供することを目的としてなされたものである。
【課題を解決するための手段】
【０００９】
そのため、この発明ガス抜き具は、エアゾール容器Ａの押ボタンＢまたはトリガーＴまたは押ボタン用操作部材Ｓの押圧手段１を備えたものとしている。
【００１０】
そして、前記押圧手段１は、断面略Ｍ字状として形成され、略中央にエアゾール容器Ａの押ボタンＢの押圧部１１を設け、両端に垂下体１２を設け、この垂下体１２の下端にエアゾール容器Ａの内側巻締部Ａ1 への引掛け部１３を設けたものとしている。
【００１１】
さらに、前記押圧手段１は、基板１４の上面に、エアゾール容器ＡのキャップＣの天板Ｃ1 の下面とトリガーＴの上部面との隙間に差し込めるようにした差込み部１５を突設し、基板１４の下面にエアゾール容器Ａの内側巻締部Ａ1 への引掛け部１６を形成した引掛け足１７を垂設したものとしている。前記基板１４は、側部に摘み部１８を延設したものとすることができる。
【００１２】
また、前記押圧手段１は、エアゾール容器ＡのキャップＣの天板Ｃ1 の下面とトリガーＴの上部面との隙間に差し込めるようにした差込み部１５からなるものとしている。
【００１３】
さらに、前記押圧手段１は、基板１４の上面に、エアゾール容器ＡのキャップＣの天板Ｃ1 の下面とトリガーＴの上部面との隙間に差し込めるようにした差込み部１５を突設し、基板１４の下面にエアゾール容器Ａの内側巻締部Ａ1 への引掛けリング１９を設けたものとし、この引掛けリング１９の内側に弾性変形可能とした押圧帯２０を掛け渡したものとしている。前記差込み部１５は、先端にかけて段階的に細くしたものとすることができる。
【００１４】
また、前記押圧手段１は、押圧部２１ａを形成し、この押圧部２１ａの両側に支持体２１ｂを形成し、この支持体２１ｂをエアゾール容器ＡのキャップＣの天板Ｃ1 の下方に垂設された一対の支持板Ｃ2 、Ｃ2 の間に着脱自在として取り付けたものとしている。
【００１５】
さらに、前記押圧手段１は、押圧部２１ａを形成し、この押圧部２１ａの両側に支持体２１ｂを形成し、この押圧部２１ａをエアゾール容器ＡのキャップＣの天板Ｃ1 の下方の略中央部に形成された凹部Ｃ3 に入り込ませると共に、支持体２１ｂをエアゾール容器ＡのキャップＣの天板Ｃ1 の下方に垂設された一対の支持板Ｃ2 、Ｃ2 の間に着脱自在として取り付けたものとしている。
【００１６】
また、前記押圧手段１は、エアゾール容器ＡのキャップＣの天板Ｃ1 の下面の中央部、端部寄り、およびキャップＣの側壁Ｃ4 の内側面の適宜位置に設けられた支持部２２に、適宜長さの押圧体２３を着脱自在に取り付けたものとしている。前記押圧体２３は、先端にかけて徐々に細くしたものとすることができる。前記支持部２２はネジ孔としており、この支持部２２に取り付けられる押圧体２３をネジ棒としており、前記ネジ孔とした支持部２２に押圧体２３としたネジ棒をねじ込むようにすることができる。
【００１７】
さらに、前記押圧手段１は、エアゾール容器ＡのキャップＣの天板Ｃ1 の下面の中央部から端部寄りにかけて設けられた多数の支持部２２に、適宜長さの押圧体２３を着脱自在に取り付けたものとしている。
【００１８】
また、前記押圧手段１は、エアゾール容器ＡのキャップＣの天板Ｃ1 の中央部から端部にかけて長孔２４を形成し、この長孔２４に摺動自在に取り付けられた支持部２２のネジ穴に、適宜長さのネジ棒とした押圧体２３をねじ込むことにより着脱自在として取り付けたものとしている。前記長孔２４の中央部と端部に嵌込み部２４ａを形成し、長孔２４に摺動自在に取り付けられた支持部２２をこの嵌込み部２４ａに嵌まり込ませて位置決めできるようにすることができる。
【００１９】
さらに、前記押圧手段１は、キャップＣがエアゾール容器Ａに被せられている状態で、このキャップＣの側壁Ｃ4 の内側面に設けられた支持部２２に押圧体２３を支持させることにより、この押圧体２３とキャップＣの天板Ｃ1 とが平行になり、前記押圧体２３がエアゾール容器Ａの押ボタンＢを押圧するようにしたものとしている。
【００２０】
また、前記押圧手段１は、キャップＣがエアゾール容器Ａに被せられている状態で、このキャップＣの側壁Ｃ4 に形成した挿入孔２５に押圧体２３を挿入することにより、この押圧体２３がエアゾール容器Ａの押ボタンＢを押圧するようにしたものとしている。
【００２１】
さらに、前記押圧手段１は、キャップＣがエアゾール容器Ａに被せられている状態で、このキャップＣの天板Ｃ1 の下面と押ボタンＢの押圧面との間に押圧体２３を差し込むことにより、この押圧体２３がエアゾール容器Ａの押ボタンＢを押圧するようにしたものとしている。
【００２２】
また、前記押圧手段１は、長尺の屈曲可能な帯状体３０に形成した粘着層３０ａに押圧体３１を取り付けたものとしている。前記押圧体３１は、着脱自在に取り付けたものとすることができる。
【００２３】
さらに、前記押圧手段１は、長尺の屈曲可能な帯状体３０に形成した粘着層３０ａに押圧体３１を取り付けることができるものとしている。前記押圧体３１は、着脱自在に取り付けることができるものとすることができる。
【００２４】
また、前記押圧手段１は、エアゾール容器Ａの押ボタンＢまたはトリガーＴまたは押ボタン用操作部材Ｓおよび／または胴部に粘着する粘着層３０ａを少なくとも両端部に有する屈曲可能な帯状体３０とすることができる。
【００２５】
さらに、前記押圧手段１は、エアゾール容器Ａの押ボタンＢまたはトリガーＴまたは押ボタン用操作部材Ｓおよび／または胴部に粘着する粘着層３０ａと、押圧体３１に粘着する粘着層３０ａを有する屈曲可能な帯状体３０とすることができる。
【００２６】
また、前記押圧手段１は、長尺の屈曲可能な帯状体３０を円筒形状の保持体３３に巻き付け、この保持体３３に押圧体３１を着脱自在に取り付けたものとしている。前記帯状体３０は、適宜の寸法に切断可能とした切取り部３４を設けたものとすることができる。
【００２７】
さらに、前記押圧手段１は、長尺体４１ａの略中央に押圧部４２を設け、この長尺体４１ａの両端に、外側に弾性変形するようにして内側に向けて曲げた垂下体４１ｂを設け、これら垂下体４１ｂの下端にエアゾール容器Ａの内側巻締部Ａ1 または外側巻締部Ａ2 への引掛け部４３を設けたものとしている。前記引掛け部４３は、多段階に設けたものとすることができる。前記押圧部４２は、長尺体４１ａに摺動自在に取り付けたものとすることができる。
【００２８】
そして、この発明のエアゾール容器のガス抜き方法は、少なくとも両端部に粘着層３０ａを有する帯状体３０を使用し、エアゾール容器Ａの押ボタンＢまたはトリガーＴまたは押ボタン用操作部材Ｓの押圧面となる個所に前記帯状体３０を当てて操作状態とし、この帯状体３０の少なくとも一端をエアゾール容器Ａの押ボタンＢまたはキャップＣまたはトリガーＴまたはトリガーＴの噴射筒Ｔ1 または押ボタン用操作部材Ｓまたは胴部の少なくともいずれかに粘着して、前記操作状態を維持させるようにしている。
【００２９】
さらに、この発明のエアゾール容器のガス抜き方法は、少なくとも両端部に粘着層３０ａを有する帯状体３０を使用し、エアゾール容器Ａの押ボタンＢまたはトリガーＴまたは押ボタン用操作部材Ｓの押圧面となる個所に前記帯状体３０を当てて操作状態とし、この帯状体３０の一端をエアゾール容器Ａの押ボタンＢまたはトリガーＴまたは押ボタン用操作部材Ｓまたは胴部に、他端を操作状態が維持されるようにエアゾール容器Ａの反対側胴部に粘着して、前記操作状態を維持させるようにしている。
【００３０】
また、この発明のエアゾール容器のガス抜き方法は、エアゾール容器Ａの胴部に粘着する粘着層３０ａを両端部に有し、押圧体３１に粘着する粘着層３０ａを略中央に有する帯状体３０を使用し、エアゾール容器Ａの押ボタンＢまたはトリガーＴまたは押ボタン用操作部材Ｓの押圧面となる個所に前記押圧体３１を当てて操作状態とし、帯状体３０の一端をエアゾール容器Ａの胴部に、他端をエアゾール容器Ａの反対側胴部に粘着して、前記操作状態を維持させるようにしている。
【発明の効果】
【００３１】
この発明のエアゾール容器のガス抜き具は、以上に述べたように構成されているので、ガス抜き作業に力を要することなくガス抜き作業が簡単で、またガスが不意に勢いよく吹き出したり、エアゾール容器が破裂する等の万一の危険もなく、エアゾール容器の内容物が使用者に振り掛かったり、使用者の衣服を汚してしまうことがないものとなった。
【発明を実施するための最良の形態】
【００３２】
以下、この発明のエアゾール容器のガス抜き具およびガス抜き方法の実施の形態を、図面に基づいて詳細に説明する。
【００３３】
この発明のガス抜き具は、エアゾール容器Ａの押ボタンＢまたはトリガーＴまたは押ボタン用操作部材Ｓの押圧手段１を備えたものとしている。
【００３４】
図１に示したガス抜き具の押圧手段１は、合成樹脂板などにより断面略Ｍ字状として形成され、略中央にエアゾール容器Ａの押ボタンＢの押圧部１１を設け、両端に垂下体１２を設け、この垂下体１２の下端にエアゾール容器Ａの内側巻締部Ａ1 への引掛け部１３を設けたものとしている。前記垂下体１２の内側面は、図示したように、内側巻締部Ａ1 へ沿うような曲面とし、引掛け部１３もこの内側巻締部Ａ1 へ沿うように湾曲させたものとしている。このようにすると、引掛け部１３を内側巻締部Ａ1 へ確実に引っ掛けることができるので好ましい。また、この垂下体１２の内側面は平面であっても、引掛け部１３のみを内側巻締部Ａ1 へ沿うように湾曲させたものとすることもできる。さらに、この垂下体１２に短冊状の弱め線を入れるなどして変形し易いものとし、引掛け部１３も垂下体１２と共に変形し易いものとして、内側巻締部Ａ1 へ沿うようにすることもできる。なお、前記押圧部１１は、弾性変形可能なものにすることができる。このガス抜き具の押圧手段１は、エアゾール容器ＡのキャップＣの天板Ｃ1 の下面に着脱自在として取り付けられている。
【００３５】
このようにした構成したガス抜き具を使用するには、押圧手段１をエアゾール容器ＡのキャップＣから取り外し、図２に示したように、押圧手段１の垂下体１２の引掛け部１３をエアゾール容器Ａの内側巻締部Ａ1 へ引っ掛ければ、押圧手段１の押圧部１１がエアゾール容器Ａの押ボタンＢの押圧面に当たり、この押ボタンＢを押圧することになり、エアゾール剤を使い切った後のエアゾール容器Ａのガスを抜くことができる。また、この発明のガス抜き具は、エアゾール容器Ａの使い初めから前記使用状態にすることにより、全量噴射エアゾール容器Ａのエアゾール剤を全量噴射することができ、この場合にもエアゾール容器Ａに残存したガスを一緒に抜くことができる。なお、前記押圧部１１を弾性変形可能なものにすれば、各種メーカーによって押ボタンＢの押圧面の形状が異なる場合にも対処することができる。
【００３６】
図３に示したガス抜き具の押圧手段１は、合成樹脂などの成形品としており、円板状の基板１４の上面略中央部に、先端部を丸めてエアゾール容器ＡのキャップＣの天板Ｃ1 の下面とトリガーＴの上部面との隙間に差し込めるようにした差込み部１５を突設し、基板１４の下面端縁にエアゾール容器Ａの内側巻締部Ａ1 への引掛け部１６を形成した引掛け足１７を三本垂設したものとしている。さらに、この押圧手段１は、図示していないが、前記差込み部１５のみからなるものとしてもよい。前記差込み部１５には、後に述べるような摘み部１８を延設したものとしてもよい。このガス抜き具の押圧手段１は、エアゾール容器Ａの胴部に接着テープで取り付けられたり、エアゾール容器ＡのキャップＣの内部に収納されている。
【００３７】
このようにした構成したガス抜き具を使用するには、押圧手段１をエアゾール容器Ａから取り外したり、キャップＣから取り出し、図４に示したように、エアゾール容器ＡのキャップＣの天板Ｃ1 の下面とトリガーＴの上部面との隙間に、押圧手段１の差込み部１５を差し込んで、トリガーＴを押し下げることにより、トリガーＴの操作状態を維持しておけば、エアゾール剤を使い切った後のエアゾール容器Ａのガスを抜くことができる。なお、前記キャップＣの天板Ｃ1 は、図示したものは、断続的に形成しているが、連続的に形成したものでもよい。また、前記キャップＣも、この発明のガス抜き具が使用可能な限り公知の各種のキャップ形状であっても良いことはいうまでもない。さらに、このガス抜き具は、図１に示したガス抜き具と同様にして使用することができる。すなわち、図５に示したように、押圧手段１の引掛け足１７の引掛け部１６をエアゾール容器Ａの内側巻締部Ａ1 へ引っ掛ければ、基板１４の下面がエアゾール容器Ａの押ボタンＢの押圧面に当たり、この押ボタンＢを押圧することになり、エアゾール剤を使い切った後のエアゾール容器Ａのガスを抜くことができる。また、この発明のガス抜き具は、エアゾール容器Ａの使い初めから前記使用状態にすることにより、全量噴射エアゾール容器Ａのエアゾール剤を全量噴射することができ、この場合にもエアゾール容器Ａに残存したガスを一緒に抜くことができる。なお、この実施形態でも、前記基板１４の下面を弾性変形可能なものにすることにより、各種メーカーによって押ボタンＢの押圧面の形状が異なる場合にも対処することができる。
【００３８】
図６に示したガス抜き具の押圧手段１は、合成樹脂などの成形品としており、四角状の基板１４の上面一側部寄りに先端にかけて段階的に細くした角柱状の差込み部１５を突設し、この差込み部１５と対向する基板１４の側部に四角板状の摘み部１８を延設したものとし、さらに基板１４の下面端縁寄りにエアゾール容器Ａの内側巻締部Ａ1 への引掛け部１６を形成した引掛け足１７を四本垂設したものとしている。このガス抜き具の押圧手段１は、エアゾール容器Ａの胴部に接着テープで取り付けられたり、エアゾール容器ＡのキャップＣの内部に収納されている。
【００３９】
さらに、図７に示したガス抜き具の押圧手段１は、合成樹脂などの成形品としており、円形状の基板１４の上面一側部寄りに先端にかけて段階的に細くした円柱状の差込み部１５を突設し、この差込み部１５と対向する基板１４の側部に略楕円板状の摘み部１８を延設したものとし、さらに基板１４の下面端縁寄りにエアゾール容器Ａの内側巻締部Ａ1 への引掛け部１６を形成した引掛け足１７を三本垂設したものとしている。このガス抜き具の押圧手段１は、エアゾール容器Ａの胴部に接着テープで取り付けられたり、エアゾール容器ＡのキャップＣの内部に収納されている。
【００４０】
図６および図７に示したガス抜き具は、図３に示したガス抜き具と同様にして使用することができる。すなわち、図４に示したのと同様に、エアゾール容器ＡのキャップＣの天板Ｃ1 の下面とトリガーＴの上部面との隙間に、押圧手段１の差込み部１５を差し込んで、トリガーＴを押し下げることにより、トリガーＴの操作状態を維持しておけば、エアゾール剤を使い切った後のエアゾール容器Ａのガスを抜くことができる。また、図５に示したのと同様に、引掛け足１７の引掛け部１６をエアゾール容器Ａの内側巻締部Ａ1 へ引っ掛ければ、基板１４の下面がエアゾール容器Ａの押ボタンＢの押圧面に当たり、この押ボタンＢを押圧することになり、エアゾール剤を使い切った後のエアゾール容器Ａのガスを抜くことができる。さらに、この発明のガス抜き具は、エアゾール容器Ａの使い初めから前記使用状態にすることにより、全量噴射エアゾール容器Ａのエアゾール剤を全量噴射することができ、この場合にもエアゾール容器Ａに残存したガスを一緒に抜くことができる。
【００４１】
この場合、図６および図７に示したガス抜き具では、押圧手段１の差込み部１５を先端にかけて段階的に細くしているので、エアゾール容器ＡのキャップＣの天板Ｃ1 の下面とトリガーＴの上部面との隙間の寸法が各種メーカーによって異なる場合でも対処することができる。また、これらのガス抜き具では、摘み部１８を設けたものとしているので、この摘み部１８を手指で摘んで前記操作をすれば、ガス抜き操作が非常にし易いものとなる。なお、この実施形態でも、前記基板１４の下面を弾性変形可能なものにすることにより、各種メーカーによって押ボタンＢの押圧面の形状が異なる場合にも対処することができる。
【００４２】
図８に示したガス抜き具の押圧手段１は、合成樹脂などの成形品としており、略長円形状の基板１４の上面一側部寄りに先端部を丸めた差込み部１５を突設し、基板１４の下面一側部寄りにエアゾール容器Ａの内側巻締部Ａ1 への引掛けリング１９を設けたものとしており、この引掛けリング１９の内側に弾性変形可能とした押圧帯２０を掛け渡したものとしている。前記引掛けリング１９は、弾性変形可能なものとしており、各種メーカーによってエアゾール容器Ａの内側巻締部Ａ1 の寸法が異なる場合にも対処することができるようにしている。このガス抜き具の押圧手段１は、エアゾール容器Ａの胴部に接着テープで取り付けられたり、エアゾール容器ＡのキャップＣの内部に収納されている。
【００４３】
さらに、図９に示したガス抜き具の押圧手段１は、合成樹脂などの成形品としており、略長方形状の基板１４の上面一側部寄りに、先端にかけて段階的に細くした差込み部１５を突設し、基板１４の下面の略中央部にエアゾール容器Ａの内側巻締部Ａ1 への引掛けリング１９を設けたものとしており、この引掛けリング１９の内側に弾性変形可能とした押圧帯２０を掛け渡したものとしている。前記引掛けリング１９は、弾性変形可能なものとしており、各種メーカーによってエアゾール容器Ａの内側巻締部Ａ1 の寸法が異なる場合にも対処することができるようにしている。このガス抜き具の押圧手段１は、エアゾール容器Ａの胴部に接着テープで取り付けられたり、エアゾール容器ＡのキャップＣの内部に収納されている。
【００４４】
図８および図９に示したガス抜き具は、トリガー式のエアゾール容器に対しては、図３、６、７に示したガス抜き具と同様にして使用することができる。すなわち、図４に示したのと同様に、エアゾール容器ＡのキャップＣの天板Ｃ1 の下面とトリガーＴの上部面との隙間に、押圧手段１の差込み部１５を差し込んで、トリガーＴを押し下げることにより、トリガーＴの操作状態を維持しておけば、エアゾール剤を使い切った後のエアゾール容器Ａのガスを抜くことができる。さらに、この発明のガス抜き具は、エアゾール容器Ａの使い初めから前記使用状態にすることにより、全量噴射エアゾール容器Ａのエアゾール剤を全量噴射することができ、この場合にもエアゾール容器Ａに残存したガスを一緒に抜くことができる。なお、この場合、図９に示したガス抜き具では、差込み部１５を先端にかけて段階的に細くしているので、エアゾール容器ＡのキャップＣの天板Ｃ1 の下面とトリガーＴの上部面との隙間の寸法が各種メーカーによって異なる場合でも対処することができる。
【００４５】
さらに、図８および図９に示したガス抜き具は、押ボタン式のエアゾール容器に対しては、図１０に示したように、引掛けリング１９をエアゾール容器Ａの内側巻締部Ａ1 へ引っ掛ければ、押圧帯２０がエアゾール容器Ａの押ボタンＢの押圧面に当たり、この押ボタンＢを押圧することになり、エアゾール剤を使い切った後のエアゾール容器Ａのガスを抜くことができる。また、この発明のガス抜き具は、エアゾール容器Ａの使い初めから前記使用状態にすることにより、全量噴射エアゾール容器Ａのエアゾール剤を全量噴射することができ、この場合にもエアゾール容器Ａに残存したガスを一緒に抜くことができる。なお、前記押圧帯２０は、弾性変形可能なものにしているので、各種メーカーによって押ボタンＢの押圧面の形状が異なる場合にも対処することができる。
【００４６】
図１１に示したガス抜き具の押圧手段１は、合成樹脂板などにより形成され、中央部に中空凹状の押圧部２１ａを形成し、この押圧部２１ａの両側に支持体２１ｂを形成したものとしており、この支持体２１ｂをエアゾール容器ＡのキャップＣの天板Ｃ1 の下方に垂設された一対の支持板Ｃ2 、Ｃ2 の間に着脱自在として取り付けたものとしている。したがって、このような状態のキャップＣをエアゾール容器Ａに被せた場合には、図１２に示したように、エアゾール容器Ａの押しボタンＢは、押圧部２１ａの中空凹状内に入り込み、この押しボタンＢが押圧されることはない。
【００４７】
このように構成したガス抜き具を使用するには、押圧手段１をエアゾール容器ＡのキャップＣから取り外し、そのガス抜き具を逆さにして、再び図１３に示したように、エアゾール容器ＡのキャップＣに取り付ける。そして、このキャップＣをエアゾール容器Ａに被せれば、図１４に示したように、押圧部２１ａがエアゾール容器Ａの押ボタンＢの押圧面に当たり、この押ボタンＢを押圧することになり、エアゾール剤を使い切った後のエアゾール容器Ａのガスを抜くことができる。さらに、この発明のガス抜き具は、エアゾール容器Ａの使い初めから前記使用状態にすることにより、全量噴射エアゾール容器Ａのエアゾール剤を全量噴射することができ、この場合にもエアゾール容器Ａに残存したガスを一緒に抜くことができる。なお、この実施形態でも、前記押圧部２１ａを弾性変形可能なものにすることにより、各種メーカーによって押ボタンＢの押圧面の形状が異なる場合にも対処することができる。
【００４８】
図１５に示したガス抜き具の押圧手段１は、合成樹脂板などにより形成され、中央部に凹状の押圧部２１ａを形成し、この押圧部２１ａの両側に支持体２１ｂを形成したものとしており、この押圧部２１ａをエアゾール容器ＡのキャップＣの天板Ｃ1 の下方の略中央部に形成された凹部Ｃ3 に入り込ませると共に、支持体２１ｂをエアゾール容器ＡのキャップＣの天板Ｃ1 の下方に垂設された一対の支持板Ｃ2 、Ｃ2 の間に着脱自在として取り付けたものとしている。したがって、このような状態のキャップＣをエアゾール容器Ａに被せた場合には、図１６に示したように、エアゾール容器Ａの押しボタンＢは、押圧部２１ａとは当たらず、この押しボタンＢが押圧されることはない。
【００４９】
このように構成したガス抜き具を使用するには、押圧手段１をエアゾール容器ＡのキャップＣから取り外し、そのガス抜き具を逆さにして、再び図１７に示したように、エアゾール容器ＡのキャップＣに取り付ける。そして、このキャップＣをエアゾール容器Ａに被せれば、図１８に示したように、押圧部２１ａがエアゾール容器Ａの押ボタンＢの押圧面に当たり、この押ボタンＢを押圧することになり、エアゾール剤を使い切った後のエアゾール容器Ａのガスを抜くことができる。さらに、この発明のガス抜き具は、エアゾール容器Ａの使い初めから前記使用状態にすることにより、全量噴射エアゾール容器Ａのエアゾール剤を全量噴射することができ、この場合にもエアゾール容器Ａに残存したガスを一緒に抜くことができる。なお、この実施形態でも、前記押圧部２１ａを弾性変形可能なものにすることにより、各種メーカーによって押ボタンＢの押圧面の形状が異なる場合にも対処することができる。
【００５０】
図１９に示したガス抜き具の押圧手段１は、エアゾール容器ＡのキャップＣの天板Ｃ1 の下面の中央部や端部寄り、およびキャップＣの側壁Ｃ4 の内側面の適宜位置に設けられた支持穴などの支持部２２に、適宜長さの押圧棒などの押圧体２３を着脱自在に取り付けたものとしている。この押圧体２３は、凹凸嵌合や差し込み自在にするなど、あらかじめ長さを調整できる連結式のものとしてもよい。なお、図示していないが、エアゾール容器ＡのキャップＣの天板Ｃ1 や側壁Ｃ2 の適宜個所には、ガス放出用の抜穴を設けている。
【００５１】
このように構成したガス抜き具を使用するには、キャップＣの天板Ｃ1 の下面の中央部に設けた支持部２２に適宜長さの押圧体２３を取り付けて、このキャップＣをエアゾール容器Ａに被せれば、図２０に示したように、押圧体２３がエアゾール容器Ａの押ボタンＢの押圧面に当たり、この押ボタンＢを押圧することになり、エアゾール剤を使い切った後のエアゾール容器Ａのガスを抜くことができる。さらに、このガス抜き具は、キャップＣの側壁Ｃ4 の内側面に設けた支持部２２に適宜長さの押圧体２３を取り付けて、このキャップＣをエアゾール容器Ａに被せれば、図２１に示したように、押圧体２３がエアゾール容器Ａの押ボタンＢの押圧面に当たり、この押ボタンＢを押圧することになり、エアゾール剤を使い切った後のエアゾール容器Ａのガスを抜くことができる。また、このガス抜き具は、キャップＣの天板Ｃ1 の下面の端部寄りに設けた支持部２２に適宜長さの押圧体２３を取り付けて、このキャップＣをエアゾール容器Ａに被せれば、図４に示したようなトリガーＴの噴射筒Ｔ1 の先端上部に押圧体２３が当たり、このトリガーＴを押し下げることができ、エアゾール剤を使い切った後のエアゾール容器Ａのガスを抜くこともできる。さらに、この発明のガス抜き具は、エアゾール容器Ａの使い初めから前記使用状態にすることにより、全量噴射エアゾール容器Ａのエアゾール剤を全量噴射することができ、この場合にもエアゾール容器Ａに残存したガスを一緒に抜くことができる。なお、この実施形態では、前記押圧体２３の長さを変更することにより、各種メーカーによって押ボタンＢの押圧面の形状が異なる場合にも対処することができる。
【００５２】
図２２に示したガス抜き具の押圧手段１は、基本的には図１９に示した押圧手段１と同様に構成しているが、エアゾール容器ＡのキャップＣの側壁Ｃ4 の内側面の適宜位置に設けられた支持部２２に着脱自在に取り付けられた押圧体２３を、先端にかけて徐々に細くしたものとしている点が相違する。
【００５３】
このように構成したガス抜き具を使用するには、図１９に示したガス抜き具と同様にして使用することができる。すなわち、キャップＣの天板Ｃ1 の下面の中央部に設けた支持部２２に適宜長さの押圧体２３を取り付けて、このキャップＣをエアゾール容器Ａに被せれば、図示していないが、押圧体２３がエアゾール容器Ａの押ボタンＢの押圧面に当たり、この押ボタンＢを押圧することになり、エアゾール剤を使い切った後のエアゾール容器Ａのガスを抜くことができる。さらに、このガス抜き具は、キャップＣの側壁Ｃ4 の内側面に設けた支持部２２に適宜長さの押圧体２３を取り付けて、このキャップＣをエアゾール容器Ａに被せれば、図２３に示したように、押圧体２３がエアゾール容器Ａの押ボタンＢの押圧面に当たり、この押ボタンＢを押圧することになり、エアゾール剤を使い切った後のエアゾール容器Ａのガスを抜くことができる。この場合、押圧体２３を先端にかけて徐々に細くしたものとしているので、押ボタンＢの噴射口Ｂ1 が上に向いているエアゾール容器Ａでも、この噴射口Ｂ1 との間に隙間ができ、ガス抜きの妨げになるようなことはない。また、このガス抜き具は、キャップＣの天板Ｃ1 の下面の端部寄りに設けた支持部２２に適宜長さの押圧体２３を取り付けて、このキャップＣをエアゾール容器Ａに被せれば、図４に示したようなトリガーＴの噴射筒Ｔ1 の先端上部に押圧体２３が当たり、このトリガーＴを押し下げることができ、エアゾール剤を使い切った後のエアゾール容器Ａのガスを抜くこともできる。さらに、この発明のガス抜き具は、エアゾール容器Ａの使い初めから前記使用状態にすることにより、全量噴射エアゾール容器Ａのエアゾール剤を全量噴射することができ、この場合にもエアゾール容器Ａに残存したガスを一緒に抜くことができる。なお、この実施形態でも、前記押圧体２３の長さを変更することにより、各種メーカーによって押ボタンＢの押圧面の形状が異なる場合にも対処することができる。
【００５４】
図２４、２５に示したガス抜き具の押圧手段１は、エアゾール容器ＡのキャップＣの天板Ｃ1 の下面の中央部から端部寄りにかけて設けられた多数の支持穴などの支持部２２に、適宜長さの押圧棒などの押圧体２３を着脱自在に取り付けたものとしている。図２４に示したものでは、押圧体２３を角棒としており、図２５に示したものでは、押圧体２３を丸棒としているが、押圧体２３は押圧棒に限らず、板状に形成したものなどであってもよい。この押圧体２３は、凹凸嵌合や差し込み自在にするなど、あらかじめ長さを調整できる連結式のものとしてもよい。なお、図示していないが、エアゾール容器ＡのキャップＣの天板Ｃ1 や側壁Ｃ2 の適宜個所には、ガス放出用の抜穴を設けている。
【００５５】
このように構成したガス抜き具を使用するには、キャップＣの天板Ｃ1 の下面の多数の支持部２２のうち、中央の二個所の支持部２２に適宜長さの押圧体２３をそれぞれ取り付けて、このキャップＣをエアゾール容器Ａに被せれば、図２６に示したように、押圧体２３がエアゾール容器Ａの押ボタンＢの押圧面に当たり、この押ボタンＢを押圧することになり、エアゾール剤を使い切った後のエアゾール容器Ａのガスを抜くことができる。さらに、このガス抜き具は、キャップＣの天板Ｃ1 の下面の多数の支持部２２のうち、端部寄りの支持部２２に適宜長さの押圧体２３を取り付けて、このキャップＣをエアゾール容器Ａに被せれば、図２７に示したように、押圧体２３が押ボタン用操作部材Ｓの押圧面に当たり、この押ボタン用操作部材Ｓを押し下げることにより、押ボタン用操作部材Ｓの操作状態を維持しておけば、エアゾール剤を使い切った後のエアゾール容器Ａのガスを抜くことができる。また、このガス抜き具は、キャップＣの天板Ｃ1 の下面の多数の支持部２２のうち、端部寄りの支持部２２に適宜長さの押圧体２３を取り付けて、このキャップＣをエアゾール容器Ａに被せれば、図４に示したようなトリガーＴの噴射筒Ｔ1 の先端上部に押圧体２３が当たり、このトリガーＴを押し下げることができ、エアゾール剤を使い切った後のエアゾール容器Ａのガスを抜くこともできる。さらに、この発明のガス抜き具は、エアゾール容器Ａの使い初めから前記使用状態にすることにより、全量噴射エアゾール容器Ａのエアゾール剤を全量噴射することができ、この場合にもエアゾール容器Ａに残存したガスを一緒に抜くことができる。なお、この実施形態でも、前記押圧体２３の長さを変更することにより、各種メーカーによって押ボタンＢの押圧面の形状が異なる場合や、押ボタン用操作部材Ｓの押圧面の形状が異なる場合にも対処することができる。
【００５６】
図２８に示したガス抜き具の押圧手段１は、エアゾール容器ＡのキャップＣの天板Ｃ1 の中央部や端部寄りに設けられた支持部２２をネジ孔としており、この支持部２２に取り付けられる押圧体２３をネジ棒としており、前記ネジ孔とした支持部２２にネジ棒とした押圧体２３をねじ込むようにしている。なお、前記ネジ棒がねじ込まれていないネジ孔は、ガス放出用の抜孔となる。
【００５７】
このように構成したガス抜き具を使用するには、キャップＣの天板Ｃ1 の中央部に設けた支持部２２のネジ穴に適宜長さの押圧体２３のネジ棒をねじ込んで、このキャップＣをエアゾール容器Ａに被せれば、図２９に示したように、押圧体２３がエアゾール容器Ａの押ボタンＢの押圧面に当たり、この押ボタンＢを押圧することになり、エアゾール剤を使い切った後のエアゾール容器Ａのガスを抜くことができる。さらに、このガス抜き具は、キャップＣの天板Ｃ1 の端部寄りに設けた支持部２２のネジ穴に適宜長さの押圧体２３のネジ棒をねじ込んで、このキャップＣをエアゾール容器Ａに被せれば、図３０に示したように、押圧体２３が押ボタン用操作部材Ｓの押圧面に当たり、この押ボタン用操作部材Ｓを押し下げることにより、押ボタン用操作部材Ｓの操作状態を維持しておけば、エアゾール剤を使い切った後のエアゾール容器Ａのガスを抜くことができる。また、このガス抜き具は、キャップＣの天板Ｃ1 の端部寄りに設けた支持部２２のネジ穴に適宜長さの押圧体２３のネジ棒をねじ込んで、このキャップＣをエアゾール容器Ａに被せれば、図４に示したようなトリガーＴの噴射筒Ｔ1 の先端上部に押圧体２３が当たり、このトリガーＴを押し下げることができ、エアゾール剤を使い切った後のエアゾール容器Ａのガスを抜くこともできる。さらに、この発明のガス抜き具は、エアゾール容器Ａの使い初めから前記使用状態にすることにより、全量噴射エアゾール容器Ａのエアゾール剤を全量噴射することができ、この場合にもエアゾール容器Ａに残存したガスを一緒に抜くことができる。なお、この実施形態では、前記押圧体２３のネジ棒の長さを変更することにより、各種メーカーによって押ボタンＢの押圧面の形状が異なる場合や、押ボタン用操作部材Ｓの押圧面の形状が異なる場合にも対処することができる。
【００５８】
図３１に示したガス抜き具の押圧手段１は、エアゾール容器ＡのキャップＣの天板Ｃ1 の中央部から端部にかけて長孔２４を形成し、この長孔２４に摺動自在に取り付けられた支持部２２のネジ穴に、適宜長さのネジ棒とした押圧体２３をねじ込むことにより着脱自在として取り付けている。なお、前記長孔２４は、ガス放出用の抜孔としての役割も果たす。
【００５９】
このように構成したガス抜き具を使用するには、キャップＣの天板Ｃ1 の中央部に摺動させた支持部２２のネジ穴に適宜長さの押圧体２３のネジ棒をねじ込んで、このキャップＣをエアゾール容器Ａに被せれば、図３２に示したように、押圧体２３がエアゾール容器Ａの押ボタンＢの押圧面に当たり、この押ボタンＢを押圧することになり、エアゾール剤を使い切った後のエアゾール容器Ａのガスを抜くことができる。さらに、このガス抜き具は、キャップＣの天板Ｃ1 の端部寄りに摺動させた支持部２２のネジ穴に適宜長さの押圧体２３のネジ棒をねじ込んで、このキャップＣをエアゾール容器Ａに被せれば、図３３に示したように、押圧体２３が押ボタン用操作部材Ｓの押圧面に当たり、この押ボタン用操作部材Ｓを押し下げることにより、押ボタン用操作部材Ｓの操作状態を維持しておけば、エアゾール剤を使い切った後のエアゾール容器Ａのガスを抜くことができる。また、このガス抜き具は、キャップＣの天板Ｃ1 の端部寄りに摺動させた支持部２２のネジ穴に適宜長さの押圧体２３のネジ棒をねじ込んで、このキャップＣをエアゾール容器Ａに被せれば、図４に示したようなトリガーＴの噴射筒Ｔ1 の先端上部に押圧体２３が当たり、このトリガーＴを押し下げることができ、エアゾール剤を使い切った後のエアゾール容器Ａのガスを抜くこともできる。さらに、この発明のガス抜き具は、エアゾール容器Ａの使い初めから前記使用状態にすることにより、全量噴射エアゾール容器Ａのエアゾール剤を全量噴射することができ、この場合にもエアゾール容器Ａに残存したガスを一緒に抜くことができる。なお、この実施形態でも、前記押圧体２３のネジ棒の長さを変更することにより、各種メーカーによって押ボタンＢの押圧面の形状が異なる場合や、押ボタン用操作部材Ｓの押圧面の形状が異なる場合にも対処することができる。
【００６０】
図３４に示したガス抜き具の押圧手段１は、基本的には図３１に示した押圧手段１と同様に構成しているが、エアゾール容器ＡのキャップＣの天板Ｃ1 の中央部から端部にかけて形成された長孔２４の中央部と端部に嵌込み部２４ａを形成し、長孔２４に摺動自在に取り付けられた支持部２２をこの嵌込み部２４ａに嵌まり込ませて位置決めできるようにしている。このようにすれば、エアゾール容器ＡのキャップＣの天板Ｃ1 の中央部、または端部に押圧手段１を素早く位置させることができ、またその位置で押圧手段１が位置決めされ動かないので、操作性のよいものとなる。
【００６１】
このように構成したガス抜き具を使用するには、図３１に示したガス抜き具とほぼ同様にして使用することができる。すなわち、キャップＣの天板Ｃ1 の中央部に摺動させ、その位置で位置決めした支持部２２のネジ穴に適宜長さの押圧体２３のネジ棒をねじ込んで、このキャップＣをエアゾール容器Ａに被せれば、図３６に示したように、押圧体２３がエアゾール容器Ａの押ボタンＢの押圧面に当たり、この押ボタンＢを押圧することになり、エアゾール剤を使い切った後のエアゾール容器Ａのガスを抜くことができる。さらに、このガス抜き具は、キャップＣの天板Ｃ1 の端部寄りに摺動させ、その位置で位置決めした支持部２２のネジ穴に適宜長さの押圧体２３のネジ棒をねじ込んで、このキャップＣをエアゾール容器Ａに被せれば、図３８に示したように、押圧体２３が押ボタン用操作部材Ｓの押圧面に当たり、この押ボタン用操作部材Ｓを押し下げることにより、押ボタン用操作部材Ｓの操作状態を維持しておけば、エアゾール剤を使い切った後のエアゾール容器Ａのガスを抜くことができる。また、このガス抜き具は、キャップＣの天板Ｃ1 の端部寄りに摺動させ、その位置で位置決めした支持部２２のネジ穴に適宜長さの押圧体２３のネジ棒をねじ込んで、このキャップＣをエアゾール容器Ａに被せれば、図４に示したようなトリガーＴの噴射筒Ｔ1 の先端上部に押圧体２３が当たり、このトリガーＴを押し下げることができ、エアゾール剤を使い切った後のエアゾール容器Ａのガスを抜くこともできる。さらに、この発明のガス抜き具は、エアゾール容器Ａの使い初めから前記使用状態にすることにより、全量噴射エアゾール容器Ａのエアゾール剤を全量噴射することができ、この場合にもエアゾール容器Ａに残存したガスを一緒に抜くことができる。なお、この実施形態でも、前記押圧体２３のネジ棒の長さを変更することにより、各種メーカーによって押ボタンＢの押圧面の形状が異なる場合や、押ボタン用操作部材Ｓの押圧面の形状が異なる場合にも対処することができる。
【００６２】
図３９に示したガス抜き具の押圧手段１は、キャップＣがエアゾール容器Ａに被せられている状態で、このキャップＣの側壁Ｃ4 の内側面に設けられた支持部２２に、金属板や合成樹脂板等の板体からなる押圧体２３を支持させることにより、この押圧体２３とキャップＣの天板Ｃ1 とが平行になり、前記押圧体２３がエアゾール容器Ａの押ボタンＢを押圧するようにしたものとしている。前記押圧体２３は、図示したものでは、円板形状としているが、四角板形状等としてもよく、円板形状に限定されることはない。前記押圧体２３は、図４０に示したように、エアゾール容器ＡのキャップＣの天板Ｃ1 の上面に重ね合わせておいたり、またはエアゾール容器ＡのキャップＣの内部に収納している。なお、図示していないが、エアゾール容器ＡのキャップＣの天板Ｃ1 や側壁Ｃ4 の適宜個所には、ガス放出用の抜穴を設けている。
【００６３】
このように構成したガス抜き具を使用するには、エアゾール容器ＡのキャップＣの天板Ｃ1 やこのキャップＣの内部から前記押圧体２３を取り出し、この押圧体２３をキャップＣの天板Ｃ1 と平行になるようにして支持部２２に取り付ける。そして、このキャップＣをエアゾール容器Ａに被せれば、図４１に示したように、押圧体２３がエアゾール容器Ａの押ボタンＢの押圧面に当たり、この押ボタンＢを押圧することになり、エアゾール剤を使い切った後のエアゾール容器Ａのガスを抜くことができる。さらに、この発明のガス抜き具は、エアゾール容器Ａの使い初めから前記使用状態にすることにより、全量噴射エアゾール容器Ａのエアゾール剤を全量噴射することができ、この場合にもエアゾール容器Ａに残存したガスを一緒に抜くことができる。なお、この実施形態でも、前記押圧体２３を合成樹脂板等の弾性変形可能なものにすることにより、各種メーカーによって押ボタンＢの押圧面の形状が異なる場合にも対処することができる。
【００６４】
図４２に示したガス抜き具の押圧手段１は、キャップＣがエアゾール容器Ａに被せられている状態で、このキャップＣの側壁Ｃ4 に形成した挿入孔２５に、金属板や合成樹脂板等の板体からなる押圧体２３を挿入することにより、この押圧体２３がエアゾール容器Ａの押ボタンＢを押圧するようにしたものとしている。すなわち、前記挿入孔２５からキャップＣ内の押ボタンＢに向けて案内手段２６を設けたものとし、この挿入孔２５に押圧体２３を挿入したときに、この押圧体２３の先端部がエアゾール容器Ａの押ボタンＢの押圧面を押圧するようにしている。前記押圧体２３は、キャップＣの側壁Ｃ4 に沿う略半円形とし、中心部に押ボタンＢの押圧部２３ａを設けたものとしており、図４３に示したように、エアゾール容器ＡのキャップＣの天板Ｃ1 の上面に重ね合わせておいたり、またはエアゾール容器ＡのキャップＣの内部に収納している。前記案内手段２６は、キャップＣの側壁Ｃ4 に沿う略半円形とし、中心部に押ボタンＢを位置させる空間Ｓを設けた二枚の案内板としているが、このような構造に限定されることはない。そして、前記押圧体２３を前記案内手段２６である二枚の案内板の間に挟み込んで、この押圧体２３の押圧部２３ａを押ボタンＢの押圧面に案内するものとしている。前記押圧手段１が使用されるエアゾール容器Ａの押ボタンＢの押圧面は、図示したように、噴射孔側から後方にかけて傾斜させた傾斜面とするのが好ましい。なお、図示していないが、エアゾール容器ＡのキャップＣの天板Ｃ1 や側壁Ｃ2 の適宜個所には、ガス放出用の抜穴を設けている。
【００６５】
このようにした構成したガス抜き具を使用するには、エアゾール容器ＡのキャップＣの天板Ｃ1 やこのキャップＣの内部から前記押圧体２３を取り出し、そのキャップＣをエアゾール容器Ａに被せる。そして、前記押圧体２３を挿入孔２５からキャップＣ内の押ボタンＢに向けて挿入すれば、図４４に示したように、押圧体２３の押圧部２３ａがエアゾール容器Ａの押ボタンＢの押圧面に当たり、この押ボタンＢを押圧することになり、エアゾール剤を使い切った後のエアゾール容器Ａのガスを抜くことができる。さらに、この発明のガス抜き具は、エアゾール容器Ａの使い初めから前記使用状態にすることにより、全量噴射エアゾール容器Ａのエアゾール剤を全量噴射することができ、この場合にもエアゾール容器Ａに残存したガスを一緒に抜くことができる。なお、前記押ボタンＢの押圧面を噴射孔側から後方にかけて傾斜させた傾斜面とすれば、押圧体２３がその傾斜面に沿って、徐々に押ボタンＢを押圧していくので、その押圧操作はスムーズなものとなる。
【００６６】
図４５〜４７に示したガス抜き具の押圧手段１は、キャップＣがエアゾール容器Ａに被せられている状態で、このキャップＣの天板Ｃ1 の下面と押ボタンＢの押圧面との間に、金属板や合成樹脂板等の板体からなる押圧体２３を差し込むことにより、この押圧体２３がエアゾール容器Ａの押ボタンＢを押圧するようにしたものとしている。前記キャップＣは、押ボタンＢを押圧するために使用者がキャップＣ内に指を差し込めるように、キャップＣの天板Ｃ1 に開口２７が設けられると共に、キャップＣの側壁Ｃ4 に前記開口２７に連続する開口２８が設けられており、前記天板Ｃ1 の開口２７の下方に押ボタンＢが位置するようにしている。さらに、前記開口２８に対面するキャップＣの側壁Ｃ4 には噴出窓２９が設けられ、この噴出窓２９に前記押ボタンＢの噴出口が対面するようにしている。前記押圧体２３は、図示したように、エアゾール容器ＡのキャップＣの天板Ｃ1 の上面に重ね合わせておくなどしている。前記押圧手段１が使用されるエアゾール容器Ａの押ボタンＢの押圧面は、図示したように、噴射孔側から後方にかけて傾斜させた傾斜面とするのが好ましい。なお、前記キャップＣの天板Ｃ1 は、図示したものは、断続的に形成しているが、連続的に形成したものでもよい。また、前記キャップＣも、この発明のガス抜き具が使用可能な限り公知の各種のキャップ形状であっても良いことはいうまでもない。
【００６７】
このようにした構成したガス抜き具を使用するには、エアゾール容器ＡのキャップＣの天板Ｃ1 から押圧体２３を取り外し、この押圧体２３をキャップＣの天板Ｃ1 の下面と押ボタンＢの押圧面との間に差し込む。すると、前記押圧体２３の下面が、図４９に示したように、エアゾール容器Ａの押ボタンＢの押圧面に当たり、この押ボタンＢを押圧することになり、エアゾール剤を使い切った後のエアゾール容器Ａのガスを抜くことができる。さらに、この発明のガス抜き具は、エアゾール容器Ａの使い初めから前記使用状態にすることにより、全量噴射エアゾール容器Ａのエアゾール剤を全量噴射することができ、この場合にもエアゾール容器Ａに残存したガスを一緒に抜くことができる。なお、前記押ボタンＢの押圧面を噴射孔側から後方にかけて傾斜させた傾斜面とすれば、押圧体２３がその傾斜面に沿って、徐々に押ボタンＢを押圧していくので、その押圧操作はスムーズなものとなる。
【００６８】
図５０に示したガス抜き具の押圧手段１は、長尺の屈曲可能な帯状体３０の一面の全面に形成した粘着層３０ａの中央部または適宜位置に押圧体３１を着脱自在または固定的に取り付けたものとしている。前記帯状体３０は、織地、合成樹脂シ−ト、金属フィルム、ボール紙、ダンボールなど、屈曲可能なものであればよいが、伸長し難いものであるのが後述するような使用の際に好ましい。前記押圧体３１は、合成樹脂や木などからなるものとし、略円柱状、略角柱状、略Ｕ字状、略キャップ状等に形成されており、押ボタンＢ、トリガーＴ、押ボタン用操作部材Ｓを押圧するものとしており、その形状やサイズは、ガス抜きできる限り限定されるものではないが、押圧方向の厚み（長さ）は１〜４ｃｍ程度が好ましい。また、前記帯状体３０は、押ボタンＢ、トリガーＴ、押ボタン用操作部材Ｓのサイズにより異なるが、この発明の実施に差し支えのない程度の幅や長さを有したものとすればよく、内容量が３００〜５００ｍｌのエアゾール容器では、幅を１〜３ｃｍ程度、長さを５〜２５ｃｍ程度、好ましくは１０〜２０ｃｍ程度にすることができる。前記粘着層３０ａは、後述するような使用の際に、押圧したエアゾール容器Ａの押ボタンＢ、トリガーＴまたは押ボタン用操作部材Ｓの復元力で剥がれない程度の粘着力を有するものとしている。また、前記粘着層３０ａは、剥離紙３２で露出部分を被覆されており、使用時にこの剥離紙３２を剥がし、粘着層３０ａを露出させるようにしている。図示した粘着層３０ａは、中央部に取り付けた押圧体３１から一端側を剥離紙３２ａで、他端側を剥離紙３２ｂでそれぞれ別々に被覆されているが、一枚物の剥離紙３２で被覆されていてもよい。
【００６９】
図５１に示したガス抜き具の押圧手段１は、前記粘着層３０ａを帯状体３０の一面の全面に形成したものとせず、帯状体３０に押圧体３１を取り付けた部分と帯状体３０の両端部との間を非粘着部３０ｂとし、この部分には必要に応じて吸着部材（図示せず）を取り付けたものとしている。前記帯状体３０は、織地、合成樹脂シ−ト、金属フィルム、ボール紙、ダンボールなど、屈曲可能なものであればよいが、伸長し難いものであるのが後述したような使用の際に好ましい。前記押圧体３１は、合成樹脂や木などからなるものとし、略円柱状、略角柱状、略Ｕ字状、略キャップ状等に形成されており、押ボタンＢ、トリガーＴ、押ボタン用操作部材Ｓを押圧するものとしており、その形状やサイズは、ガス抜きできる限り限定されるものではないが、押圧方向の厚み（長さ）は１〜４ｃｍ程度が好ましい。また、前記帯状体３０は、押ボタンＢ、トリガーＴ、押ボタン用操作部材Ｓのサイズにより異なるが、この発明の実施に差し支えのない程度の幅や長さを有したものとすればよく、内容量が３００〜５００ｍｌのエアゾール容器では、幅を１〜３ｃｍ程度、長さを５〜２５ｃｍ程度、好ましくは１０〜２０ｃｍ程度にすることができる。前記粘着層３０ａは、後述するような使用の際に、押圧したエアゾール容器Ａの押ボタンＢ、トリガーＴまたは押ボタン用操作部材Ｓの復元力で剥がれない程度の粘着力を有するものとしている。また、前記粘着層３０ａは、帯状体３０の一端部を剥離紙３２ａで、他端部を剥離紙３２ｂでそれぞれ別々に被覆されている。
【００７０】
図５２に示したガス抜き具の押圧手段１は、長尺の屈曲可能な帯状体３０の一面の全面に形成した粘着層３０ａの中央部または適宜位置に押圧体３１を着脱自在または固定的に取り付けることができるようにしている。前記帯状体３０は、織地、合成樹脂シ−ト、金属フィルム、ボール紙、ダンボールなど、屈曲可能なものであればよいが、伸長し難いものであるのが後述したような使用の際に好ましい。前記押圧体３１は、合成樹脂や木などからなるものとし、略円柱状、略角柱状、略Ｕ字状、略キャップ状等に形成されており、押ボタンＢ、トリガーＴ、押ボタン用操作部材Ｓを押圧するものとしており、その形状やサイズは、ガス抜きできる限り限定されるものではないが、押圧方向の厚み（長さ）は１〜４ｃｍ程度が好ましい。また、前記帯状体３０は、押ボタンＢ、トリガーＴ、押ボタン用操作部材Ｓのサイズにより異なるが、この発明の実施に差し支えのない程度の幅や長さを有したものとすればよく、内容量が３００〜５００ｍｌのエアゾール容器では、幅を１〜３ｃｍ程度、長さを５〜２５ｃｍ程度、好ましくは１０〜２０ｃｍ程度にすることができる。前記粘着層３０ａは、後述するような使用の際に、押圧したエアゾール容器Ａの押ボタンＢ、トリガーＴまたは押ボタン用操作部材Ｓの復元力で剥がれない程度の粘着力を有するものとしている。また、前記粘着層３０ａは、中央部が剥離紙３２ｃで被覆され、この中央部から一端側が剥離紙３２ａで、他端側が剥離紙３２ｂでそれぞれ被覆されており、使用時に先ず中央部の剥離紙３２ｃを剥がして、この剥離紙３２ｃを剥がした部分に押圧体３１を貼り付けてから、両側の剥離紙３２ａ、３２ｂを剥がし、粘着層３０ａを露出させるようにしている。
【００７１】
図５３に示したガス抜き具の押圧手段１は、前記粘着層３０ａを帯状体３０の一面の全面に形成したものとせず、帯状体３０の中央部の剥離紙３２ｃで被覆された部分と帯状体３０の両端部との間を非粘着部３０ｂとし、この部分には必要に応じて吸着部材（図示せず）を取り付けたものとしている。前記帯状体３０は、織地、合成樹脂シ−ト、金属フィルム、ボール紙、ダンボールなど、屈曲可能なものであればよいが、伸長し難いものであるのが後述したような使用の際に好ましい。前記押圧体３１は、合成樹脂や木などからなるものとし、略円柱状、略角柱状、略Ｕ字状、略キャップ状等に形成されており、押ボタンＢ、トリガーＴ、押ボタン用操作部材Ｓを押圧するものとしており、その形状やサイズは、ガス抜きできる限り限定されるものではないが、押圧方向の厚み（長さ）は１〜４ｃｍ程度が好ましい。また、前記帯状体３０は、押ボタンＢ、トリガーＴ、押ボタン用操作部材Ｓのサイズにより異なるが、この発明の実施に差し支えのない程度の幅や長さを有したものとすればよく、内容量が３００〜５００ｍｌのエアゾール容器では、幅を１〜３ｃｍ程度、長さを５〜２５ｃｍ程度、好ましくは１０〜２０ｃｍ程度にすることができる。前記粘着層３０ａは、後述するような使用の際に、押圧したエアゾール容器Ａの押ボタンＢ、トリガーＴまたは押ボタン用操作部材Ｓの復元力で剥がれない程度の粘着力を有するものとしている。また、前記粘着層３０ａは、中央部が剥離紙３２ｃで被覆され、この中央部から一端側が剥離紙３２ａで、他端側が剥離紙３２ｂでそれぞれ被覆されており、使用時に先ず中央部の剥離紙３２ｃを剥がして、この剥離紙３２ｃを剥がした部分に押圧体３１を貼り付けてから、両側の剥離紙３２ａ、３２ｂを剥がし、粘着層３０ａを露出させるようにしている。
【００７２】
図５１、５３に示したガス抜き具の押圧手段１の非粘着部３０ｂは、上述の通り必要に応じて吸着部材を取り付けたものとしているが、これに限定されることなく吸着部材を取り付けないものとしてもよい。
【００７３】
図５４に示したガス抜き具の押圧手段１は、帯状体３０の両端のみにエアゾール容器Ａへの粘着層３０ａを設け、押圧体３１が取り付けられる部分を含む他の部分を非粘着部３０ｂとすることもできる。この非粘着部３０ｂには、必要に応じて吸着部材を取り付けたものとしても、吸着部材を取り付けないものとしてもよい。なお、押圧体３１は、帯状体３０と押ボタンＢ、トリガーＴまたは押ボタン用操作部材Ｓの間におかれるため、必ずしも帯状体３０と粘着していなくても、同様の効果を得ることができる。
【００７４】
図５５、５６に示したガス抜き具の押圧手段１は、長尺の屈曲可能な帯状体３０の一面の全面に形成した粘着層３０ａを内側にして、この帯状体３０を円筒形状の保持体３３に巻き付けたものとし、この保持体３３の円筒内に押圧体３１を着脱自在に取り付けたものとしている。前記押圧体３１を保持体３３の円筒内に着脱自在に取り付けるには、図５４に示したように、押圧体３１を保持体３３の円筒の内径と略同一の外径を有する円柱とし、この押圧体３１を保持体３３の円筒に嵌め込んだり、図５５に示したように、押圧体３１を保持体３３の円筒の内径より小さい外径を有する円柱とし、この押圧体３１の円柱胴の一部を保持体３３の円筒の切欠部３３ａから露出した帯状体３０の粘着層３０ａに粘着させたものとすることができる。前記帯状体３０は、織地、合成樹脂シ−ト、金属フィルムなど保持体３３に巻き付けることができる程度に屈曲可能なものであればよいが、伸長し難いものであるのが後述するような使用の際に好ましい。前記押圧体３１は、合成樹脂や木などからなるものとし、略円柱状、略角柱状、略Ｕ字状、略キャップ状等に形成されており、押ボタンＢ、トリガーＴ、押ボタン用操作部材Ｓを押圧するものとしており、その形状やサイズは、ガス抜きできる限り限定されるものではないが、押圧方向の厚み（長さ）は１〜４ｃｍ程度が好ましい。また、前記帯状体３０は、適宜の寸法に切断可能とした切取り部３４を設けたものとすることができる。すなわち、前記帯状体３０は、押ボタンＢ、トリガーＴ、押ボタン用操作部材Ｓのサイズにより異なるが、この発明の実施に適した長さに切断できるように切取り部３４を設けたものとすることができ、内容量が３００〜５００ｍｌのエアゾール容器では、長さを５〜２５ｃｍ程度、好ましくは１０〜２０ｃｍ程度に切断できるように切取り部３４を設けたものとすればよい。なお、前記帯状体３０に切取り部３４を設けない場合には、帯状体３０のカッター、例えばギザギザの刃などを、押圧操作に支障がでないように、押圧体３１に設けてもよい。さらに、前記帯状体３０の幅は１〜３ｃｍ程度にすることができ、切取り部３４はミシン目としたり、弱め線などとすることができる。前記粘着層３０ａは、後述するような使用の際に、押圧したエアゾール容器Ａの押ボタンＢ、トリガーＴまたは押ボタン用操作部材Ｓの復元力で剥がれない程度の粘着力を有するものとしている。
【００７５】
なお、前記粘着層３０ａには、粘着剤用樹脂として、ゴム系粘着剤やアクリル系粘着剤を使用することができる。ゴム系粘着剤は、天然ゴム、ＮＢＲ・ＳＢＲ等の合成ゴムと粘着付与樹脂とを主成分とするものであり、アクリル系粘着剤は、アクリル酸エステル共重合体を主成分とするものである。
【００７６】
図５０〜５６に示したガス抜き具の押圧手段１は、エアゾール容器Ａの胴部に接着テープで取り付けられたり、エアゾール容器ＡのキャップＣの内部に収納されたり、エアゾール容器Ａの包装体（図示せず）内などに収納されている。また、これら押圧手段１は、エアゾール容器Ａとは別に包装することもでき、エアゾール容器Ａとは別にして取り扱うこともできる。なお、図５２、５３、５４に示したガス抜き具の押圧手段１は、予備の帯状体３０を複数個備えたものとし、これら複数個の帯状体３０をエアゾール容器Ａやその包装体などに取り付けたり、収納しておくこともできる。
【００７７】
そして、図５０〜５６のように構成したこの発明のガス抜き具は、押圧手段１をエアゾール容器Ａから取り外したり、キャップＣや包装体内などから取り出し、以下のようにしてエアゾール容器Ａのガスを抜くことができる。
【００７８】
先ず、図５０、５１のように構成したものでは、押圧手段１の帯状体３０の一端側の剥離紙３２ａを剥がして粘着層３０ａを露出させ、この粘着層３０ａをエアゾール容器Ａの胴部上部に粘着させる。さらに、帯状体３０の他端側の剥離紙３２ｂを剥がして粘着層３０ａを露出させ、エアゾール容器Ａの押ボタンＢ、トリガーＴまたは押ボタン用操作部材Ｓを押圧しながら、これらの上部に押圧体３１を当てる。図５２、５３のように構成したものでは、中央部の剥離紙３２ｃを剥がして、この剥離紙３２ｃを剥がした部分に押圧体３１を貼り付けてから、同様の操作を行いエアゾール容器Ａの押ボタンＢ、トリガーＴまたは押ボタン用操作部材Ｓの上部に押圧体３１を当てる。図５５、５６のように構成したものでは、保持体３３から押圧体３１を外し、この保持体３３に巻き付けた帯状体３０を巻き戻して、切取り部３４から切り離す。そして、図５７に示したように、この切り離した帯状体３０の粘着層３０ａ側の中央部に、前記押圧体３１を貼り付けてから、帯状体３０の一端側の粘着層３０ａをエアゾール容器Ａの胴部上部に粘着させ、エアゾール容器Ａの押ボタンＢ、トリガーＴまたは押ボタン用操作部材Ｓを押圧しながら、これらの上部に押圧体３１を当てる。そして、帯状体３０の他端側の粘着層３０ａを、前記粘着層３０ａを粘着させた部分とは反対となるエアゾール容器Ａの胴部上部に粘着させる。
【００７９】
なお、押圧体３１を押ボタンＢ等の上部に当てた後に、帯状体３０の両端をエアゾール容器Ａの胴部上部に粘着させることもできる。
【００８０】
また、押圧体３１は必ずしも使用しなくてもよい。すなわち、帯状体３０の一端をエアゾール容器Ａの胴部上部に粘着させ、エアゾール容器Ａの押ボタンＢ等を押圧しながら、これらの上部に帯状体３０そのものを当てて、帯状体３０の他端をエアゾール容器Ａの反対側の胴部上部に粘着させたり、あるいは帯状体３０で押ボタンＢ等の上部を押しながら、帯状体３０の両端をエアゾール容器Ａの胴部上部に粘着させることもできる。さらに、押ボタンＢ等を押圧しながら、押ボタンＢ等に帯状体３０の一端を粘着させ、帯状体３０の他端を操作状態を維持できるようにエアゾール容器Ａの胴部上部に粘着させることもできる。
【００８１】
この場合、図５８、５９に示したようなエアゾール容器ＡのキャップＣは、エアゾール容器Ａの内側巻締部Ａ1 へ外れないように取り付けられており、押ボタンＢを押圧するために使用者がキャップＣ内に指を差し込めるように、キャップＣの天板Ｃ1 に開口２７が設けられると共に、キャップＣの側壁Ｃ4 に前記開口２７に連続する開口２８が設けられており、前記天板Ｃ1 の開口２７の下方に押ボタンＢが位置するようにしている。さらに、前記開口２８に対面するキャップＣの側壁Ｃ4 には噴出窓２９が設けられ、この噴出窓２９に前記押ボタンＢの噴出口が対面するようにしている。したがって、このようなエアゾール容器Ａの押ボタンＢでは、キャップＣの天板Ｃ1 の開口２７から、押圧体３１をキャップＣ内に入れないと押ボタンＢを押圧することができない。しかし、エアゾール容器ＡのキャップＣを取り外し自在としたものでは、このキャップＣを取り外せば、キャップＣが邪魔になるようなことはない。したがって、このようなエアゾール容器Ａの押ボタンＢでは、前記押圧体３１で押圧するようにしてもよいが、図６０に示したように、この押圧体３１を帯状体３０の粘着層３０ａから剥がし、その剥がした部分でエアゾール容器Ａの押ボタンＢ、トリガーＴまたは押ボタン用操作部材Ｓを押圧することができる。
【００８２】
上記のようにすると、前記押圧体３１がエアゾール容器Ａの押ボタンＢ、トリガーＴまたは押ボタン用操作部材Ｓを押圧した状態を維持することになり、エアゾール剤を使い切った後のエアゾール容器Ａのガスを抜くことができる。なお、図５１、５３のように構成したガス抜き具で、非粘着部３０ｂに吸着部材（図示せず）を取り付けたものでは、エアゾール容器Ａのガスを抜くときに、押ボタンＢの噴射口Ｂ1 をこの非粘着部３０ｂの吸着部材に向くように、前記粘着層３０ａをエアゾール容器Ａの胴部上部に粘着させれば、エアゾール容器Ａに内容物が多少残っていても、この内容物が噴射されて吸着部材に当たり、この吸着部材に吸着されるので、エアゾール容器Ａの内容物が使用者に振り掛かったり、使用者の衣服を汚してしまうことがない。さらに、この発明のガス抜き具は、エアゾール容器Ａの使い初めから前記使用状態にすることにより、全量噴射エアゾール容器Ａのエアゾール剤を全量噴射することができ、この場合にもエアゾール容器Ａに残存したガスを一緒に抜くことができる。なお、帯状体３０の粘着層３０ａは、エアゾール容器Ａの胴部上部のいずれの個所にも粘着することができるので、各種メーカーによってエアゾール容器Ａの胴部の外形が異なったり、押ボタンＢ、トリガーＴおよび押ボタン用操作部材Ｓの押圧面の形状や高さが異なる場合にも対処することができる。
【００８３】
さらに、図５０〜５６のように構成したこの発明のガス抜き具は、エアゾール容器Ａの押ボタンＢまたはトリガーＴまたは押ボタン用操作部材Ｓの押圧面となる個所に前記帯状体３０を当てて操作状態とし、この帯状体３０の少なくとも一端をエアゾール容器Ａの押ボタンＢまたはキャップＣまたはトリガーＴまたはトリガーＴの噴射筒Ｔ1 または押ボタン用操作部材Ｓまたは胴部の少なくともいずれかに粘着して、前記操作状態を維持させるようにして使用することができる。例えば、帯状体３０の一端を押ボタンＢに粘着し、他端をキャップＣに粘着したり、また帯状体３０の一端を押ボタンＢに粘着し、他端を胴部に粘着して、前記操作状態を維持させるようにして使用することができる。さらに、帯状体３０の一端をキャップＣに粘着し、略中央を押ボタンＢに当て、他端をキャップＣの反対側に粘着して、前記操作状態を維持させるようにして使用することもできる。さらにまた、帯状体３０の一端をトリガーＴに粘着し、他端をキャップＣまたは胴部に粘着したり、また帯状体３０の一端をトリガーＴの噴射筒Ｔ1 に粘着し、他端をキャップＣまたは胴部に粘着して、前記操作状態を維持させるようにして使用することもできる。
【００８４】
図６１、６２に示したガス抜き具の押圧手段１は、合成樹脂板などからなる長尺体４１ａの略中央にエアゾール容器Ａの押ボタンＢ、トリガーＴまたは押ボタン用操作部材Ｓの押圧部４２を設け、この長尺体４１ａの両端に、外側に弾性変形するようにして内側に向けて曲げた垂下体４１ｂを設け、これら垂下体４１ｂの下端にエアゾール容器Ａの内側巻締部Ａ1 または外側巻締部Ａ2 への引掛け部４３を多段階に設けたものとしている。前記垂下体４１ｂは、図示したように、内周面を平面とし、引掛け部４３を内側巻締部Ａ1 または外側巻締部Ａ2 へ沿うように湾曲させたものとしている。このようにすると、引掛け部４３を内側巻締部Ａ1 または外側巻締部Ａ2 へ確実に引っ掛けることができるので好ましい。また、前記垂下体４１ｂは、内周面を内側巻締部Ａ1 または外側巻締部Ａ2 へ沿うような曲面とし、引掛け部４３もこれら巻締部へ沿うように湾曲させたものとすることもできる。さらに、図６２に示したガス抜き具の押圧手段１は、前記長尺体４１ａに押圧部４２を摺動自在に取り付けたものとしている。図示したものは、前記長尺体４１ａの両側端に摺動溝４４を設けると共に、前記押圧部４２の上端に張出し部４２ａを設けたものとし、この押圧部４２の張出し部４２ａを長尺体４１ａの摺動溝４４に摺動自在に挿入したものとしているが、このような構造に限定されることはない。図６１、６２に示したガス抜き具の押圧手段１は、エアゾール容器Ａの胴部に接着テープで取り付けられたり、エアゾール容器Ａの包装体（図示せず）内などに収納されている。また、これら押圧手段１は、エアゾール容器Ａとは別に包装することもでき、エアゾール容器Ａとは別にして取り扱うこともできる。
【００８５】
そして、図６１、６２のように構成したこの発明のガス抜き具は、押圧手段１をエアゾール容器Ａから取り外したり、包装体内などから取り出し、図６３〜６６に示したように、押圧手段１の垂下体４１ｂの多段階に設けた引掛け部４３のいずれかをエアゾール容器Ａの外側巻締部Ａ2 へ引っ掛ければ、押圧部４２がエアゾール容器Ａの押ボタンＢの押圧面に当たり、この押ボタンＢを押圧した状態を維持することになり、エアゾール剤を使い切った後のエアゾール容器Ａのガスを抜くことができる。また、このガス抜き具は、図２に示したようなエアゾール容器Ａの押ボタンＢを押圧する場合には、押圧手段１の垂下体４１ｂの多段階に設けた引掛け部４３のいずれかをエアゾール容器Ａの内側巻締部Ａ1 へ引っ掛ければ、押圧部４２がエアゾール容器Ａの押ボタンＢの押圧面に当たり、この押ボタンＢを押圧した状態を維持することになり、エアゾール剤を使い切った後のエアゾール容器Ａのガスを抜くことができる。
【００８６】
さらに、図６７に示したように、長尺体４１ａの一端部寄りに押圧部４２を摺動させ、押圧手段１の垂下体４１ｂの多段階に設けた引掛け部４３のいずれかをエアゾール容器Ａの外側巻締部Ａ2 へ引っ掛ければ、押圧部４２が押ボタン用操作部材Ｓの押圧面に当たり、この押ボタン用操作部材Ｓを押し下げることにより、押ボタン用操作部材Ｓの操作状態を維持することになり、エアゾール剤を使い切った後のエアゾール容器Ａのガスを抜くことができる。また、このガス抜き具は、長尺体４１ａの一端部寄りに押圧部４２を摺動させた状態で、押圧手段１の垂下体４１ｂの多段階に設けた引掛け部４３のいずれかをエアゾール容器Ａの外側巻締部Ａ2 へ引っ掛ければ、図４に示したようなトリガーＴの噴射筒Ｔ1 の先端上部に押圧部４２が当たり、このトリガーＴを押し下げた状態を維持することができ、エアゾール剤を使い切った後のエアゾール容器Ａのガスを抜くこともできる。さらに、この発明のガス抜き具は、エアゾール容器Ａの使い初めから前記使用状態にすることにより、全量噴射エアゾール容器Ａのエアゾール剤を全量噴射することができ、この場合にもエアゾール容器Ａに残存したガスを一緒に抜くことができる。なお、押圧手段１の垂下体４１ｂは、長尺体４１ａの両端に、外側に弾性変形するようにして内側に向けて曲げたものとしており、しかも下端にエアゾール容器Ａの内側巻締部Ａ1 または外側巻締部Ａ2 への引掛け部４３を多段階に設けたものとしているので、各種メーカーによってエアゾール容器Ａの内側巻締部Ａ1 または外側巻締部Ａ2 の外形が異なったり、押ボタンＢ、トリガーＴおよび押ボタン用操作部材Ｓの押圧面の形状や高さが異なる場合にも対処することができる。
【図面の簡単な説明】
【００８７】
【図１】この発明のガス抜き具の第１実施形態を示す一部切欠斜視図である。
【図２】第１実施形態のガス抜き具の使用状態を示す側断面図である。
【図３】この発明のガス抜き具の第２実施形態を示す斜視図である。
【図４】第２実施形態のガス抜き具の一使用状態を示す一部断面側面図である。
【図５】第２実施形態のガス抜き具の他の使用状態を示す側面図である。
【図６】この発明のガス抜き具の第３実施形態を示す斜視図である。
【図７】この発明のガス抜き具の第４実施形態を示す斜視図である。
【図８】この発明のガス抜き具の第５実施形態を示す斜視図である。
【図９】この発明のガス抜き具の第６実施形態を示す斜視図である。
【図１０】第５、６実施形態のガス抜き具の使用状態を示す側面図である。
【図１１】この発明のガス抜き具の第７実施形態を示す一部切欠斜視図である。
【図１２】第７実施形態のガス抜き具の断面図である。
【図１３】第７実施形態のガス抜き具の使用状態を示す一部切欠斜視図である。
【図１４】第７実施形態のガス抜き具の使用状態を示す断面図である。
【図１５】この発明のガス抜き具の第８実施形態を示す一部切欠斜視図である。
【図１６】第８実施形態のガス抜き具の断面図である。
【図１７】第８実施形態のガス抜き具の使用状態を示す一部切欠斜視図である。
【図１８】第８実施形態のガス抜き具の使用状態を示す断面図である。
【図１９】この発明のガス抜き具の第９実施形態を示す半断面斜視図である。
【図２０】第９実施形態のガス抜き具の一使用状態を示す断面図である。
【図２１】第９実施形態のガス抜き具の他の使用状態を示す断面図である。
【図２２】この発明のガス抜き具の第１０実施形態を示す半断面斜視図である。
【図２３】第１０実施形態のガス抜き具の一使用状態を示す断面図である。
【図２４】この発明のガス抜き具の第１１実施形態を示す一部断面斜視図である。
【図２５】この発明のガス抜き具の第１２実施形態を示す一部断面斜視図である。
【図２６】第１１、１２実施形態のガス抜き具の一使用状態を示す断面図である。
【図２７】第１１、１２実施形態のガス抜き具の他の使用状態を示す断面図である。
【図２８】この発明のガス抜き具の第１３実施形態を示す半断面斜視図である。
【図２９】第１３実施形態のガス抜き具の一使用状態を示す断面図である。
【図３０】第１３実施形態のガス抜き具の他の使用状態を示す断面図である。
【図３１】この発明のガス抜き具の第１４実施形態を示す半断面斜視図である。
【図３２】第１４実施形態のガス抜き具の一使用状態を示す断面図である。
【図３３】第１４実施形態のガス抜き具の他の使用状態を示す断面図である。
【図３４】この発明のガス抜き具の第１５実施形態を示す半断面斜視図である。
【図３５】第１５実施形態のガス抜き具の一使用状態を示す平面図である。
【図３６】第１５実施形態のガス抜き具の一使用状態を示す図３５中のＡ−Ａ線断面図である。
【図３７】第１５実施形態のガス抜き具の他の使用状態を示す平面図である。
【図３８】第１５実施形態のガス抜き具の他の使用状態を示す図３７中のＢ−Ｂ線断面図である。
【図３９】この発明のガス抜き具の第１６実施形態を示す半断面斜視図である。
【図４０】第１６実施形態のガス抜き具の断面図である。
【図４１】第１６実施形態のガス抜き具の使用状態を示す断面図である。
【図４２】この発明のガス抜き具の第１７実施形態を示す半断面斜視図である。
【図４３】第１７実施形態のガス抜き具の断面図である。
【図４４】第１７実施形態のガス抜き具の使用状態を示す断面図である。
【図４５】この発明のガス抜き具の第１８実施形態を示す正面図である。
【図４６】第１８実施形態のガス抜き具の側面図である。
【図４７】第１８実施形態のガス抜き具の背面図である。
【図４８】第１８実施形態のガス抜き具の断面図である。
【図４９】第１８実施形態のガス抜き具の使用状態を示す断面図である。
【図５０】この発明のガス抜き具の第１９実施形態のガス抜き具の斜視図である。
【図５１】この発明のガス抜き具の第２０実施形態のガス抜き具の斜視図である。
【図５２】この発明のガス抜き具の第２１実施形態のガス抜き具の斜視図である。
【図５３】この発明のガス抜き具の第２２実施形態のガス抜き具の斜視図である。
【図５４】この発明のガス抜き具の第２３実施形態のガス抜き具の斜視図である。
【図５５】この発明のガス抜き具の第２４実施形態のガス抜き具の斜視図である。
【図５６】この発明のガス抜き具の第２５実施形態のガス抜き具の斜視図である。
【図５７】第２４、２５実施形態のガス抜き具の切り離した帯状体の中央部に押圧体を貼り付けた状態を示す斜視図である。
【図５８】第１９〜２５実施形態のガス抜き具の一使用状態を示す正面断面図である。
【図５９】第１９〜２５実施形態のガス抜き具の一使用状態を示す側面断面図である。
【図６０】第１９〜２５実施形態のガス抜き具の他の使用状態を示す正面断面図である。
【図６１】この発明のガス抜き具の第２６実施形態のガス抜き具の斜視図である。
【図６２】この発明のガス抜き具の第２７実施形態のガス抜き具の斜視図である。
【図６３】第２６実施形態のガス抜き具の使用状態を示す正面断面図である。
【図６４】第２６実施形態のガス抜き具の使用状態を示す側面断面図である。
【図６５】第２７実施形態のガス抜き具の一使用状態を示す正面断面図である。
【図６６】第２７実施形態のガス抜き具の一使用状態を示す側面断面図である。
【図６７】第２７実施形態のガス抜き具の他の使用状態を示す正面断面図である。
【図６８】従来のガス抜き具の一例を示す斜視図である。
【図６９】従来のガス抜き具の他の例を示す一部省略側断面図である。
【図７０】図６９に示す従来のガス抜き具の断面図である。
【図７１】従来のガス抜き具のさらに他の例を示す斜視図である。
【図７２】図７１に示す従来のガス抜き具の断面図である。
【符号の説明】
【００８８】
１  押圧手段
１１  押圧部
１２  垂下体
１３  引掛け部
１４  基板
１５  差込み部
１６  引掛け部
１７  引掛け足
１８  摘み部
１９  引掛けリング
２０  押圧帯
２１ａ  押圧部
２１ｂ  支持体
２２  支持部
２３  押圧体
２４  長孔
２４ａ  嵌込み部
２５  挿入孔
３０  帯状体
３０ａ  粘着層
３１  押圧体
３３  保持体
３４  切取り部
４１ａ  長尺体
４１ｂ  垂下体
４２  押圧部
４３  引掛け部
Ａ  エアゾール容器
Ａ1   内側巻締部
Ａ2   外側巻締部
Ｂ  押ボタン
Ｃ  キャップ
Ｃ1   天板
Ｃ2   支持板
Ｃ3   凹部
Ｃ4   側壁
Ｓ  押ボタン用操作部材
Ｔ  トリガー
【図１】
2007176588.tif 000003
【図２】
2007176588.tif 000004
【図３】
2007176588.tif 000005
【図４】
2007176588.tif 000006
【図５】
2007176588.tif 000007
【図６】
2007176588.tif 000008
【図７】
2007176588.tif 000009
【図８】
2007176588.tif 000010
【図９】
2007176588.tif 000011
【図１０】
2007176588.tif 000012
【図１１】
2007176588.tif 000013
【図１２】
2007176588.tif 000014
【図１３】
2007176588.tif 000015
【図１４】
2007176588.tif 000016
【図１５】
2007176588.tif 000017
【図１６】
2007176588.tif 000018
【図１７】
2007176588.tif 000019
【図１８】
2007176588.tif 000020
【図１９】
2007176588.tif 000021
【図２０】
2007176588.tif 000022
【図２１】
2007176588.tif 000023
【図２２】
2007176588.tif 000024
【図２３】
2007176588.tif 000025
【図２４】
2007176588.tif 000026
【図２５】
2007176588.tif 000027
【図２６】
2007176588.tif 000028
【図２７】
2007176588.tif 000029
【図２８】
2007176588.tif 000030
【図２９】
2007176588.tif 000031
【図３０】
2007176588.tif 000032
【図３１】
2007176588.tif 000033
【図３２】
2007176588.tif 000034
【図３３】
2007176588.tif 000035
【図３４】
2007176588.tif 000036
【図３５】
2007176588.tif 000037
【図３６】
2007176588.tif 000038
【図３７】
2007176588.tif 000039
【図３８】
2007176588.tif 000040
【図３９】
2007176588.tif 000041
【図４０】
2007176588.tif 000042
【図４１】
2007176588.tif 000043
【図４２】
2007176588.tif 000044
【図４３】
2007176588.tif 000045
【図４４】
2007176588.tif 000046
【図４５】
2007176588.tif 000047
【図４６】
2007176588.tif 000048
【図４７】
2007176588.tif 000049
【図４８】
2007176588.tif 000050
【図４９】
2007176588.tif 000051
【図５０】
2007176588.tif 000052
【図５１】
2007176588.tif 000053
【図５２】
2007176588.tif 000054
【図５３】
2007176588.tif 000055
【図５４】
2007176588.tif 000056
【図５５】
2007176588.tif 000057
【図５６】
2007176588.tif 000058
【図５７】
2007176588.tif 000059
【図５８】
2007176588.tif 000060
【図５９】
2007176588.tif 000061
【図６０】
2007176588.tif 000062
【図６１】
2007176588.tif 000063
【図６２】
2007176588.tif 000064
【図６３】
2007176588.tif 000065
【図６４】
2007176588.tif 000066
【図６５】
2007176588.tif 000067
【図６６】
2007176588.tif 000068
【図６７】
2007176588.tif 000069
【図６８】
2007176588.tif 000070
【図６９】
2007176588.tif 000071
【図７０】
2007176588.tif 000072
【図７１】
2007176588.tif 000073
【図７２】
2007176588.tif 000074